(57)【特許請求の範囲】
【請求項１】
ハウジングにモータを内蔵した電動工具であって、後端部が開口部となったハウジングにモータの固定子を支持すると共にハウジングに設けたハウジング側軸受け保持部にモータの回転子の前端の軸受けを支持し、該回転子をハウジングの後端部の開口部から取付け、取り外し自在とし、前記ハウジングの開口部からブラシとブラシホルダを備えた絶縁板をハウジングの開口部に設けたハウジング側支持部に嵌め込んで絶縁板の前面側及び外周を支持すると共に該絶縁板の中央部の孔を回転子の後部に設けた整流子に遊嵌し、該絶縁板を前記ハウジングの開口部から取り出し自在とし、ハウジングに設けた給電用のスイッチと絶縁板に設けた端子台とを電気的に接続可能とし、ハウジングの後端部の開口部にハウジングカバーを着脱自在に取付けて、ハウジングカバーに設けたカバー側軸受け保持部で回転子の後端の軸受けを保持すると共にハウジング側支持部に着脱自在に支持した絶縁板の後面側をハウジングカバーに設けたカバー側支持部により支持して成ることを特徴とする電動工具。
【請求項２】
ハウジング側支持部乃至カバー側支持部に弾性体を介して絶縁板を支持して成ることを特徴とする請求項１記載の電動工具。
【請求項３】
モータの回転子の後端の軸受けをハウジングカバーのカバー側軸受け保持部に弾性体を介して保持して成ることを特徴とする請求項１又は請求項２記載の電動工具。
【請求項４】
ハウジングカバーのカバー側軸受け保持部に軸受けを嵌め込む際の誘い込み面を形成して成ることを特徴とする請求項１乃至請求項３のいずれかに記載の電動工具。
【請求項５】
ハウジング側軸受け保持部に軸受けを嵌め込む際の誘い込み面を形成して成ることを特徴とする請求項１乃至請求項４のいずれかに記載の電動工具。
【請求項６】
ハウジングカバーにブラシを覗くための窓を形成して成ることを特徴とする請求項１乃至請求項５のいずれかに記載の電動工具。
【発明の詳細な説明】
【０００１】
【発明の属する技術分野】
本発明は、電動工具、特に、電動工具において電動モータのブラシの交換を可能とするための技術に関するものである。
【０００２】
【従来の技術】
従来、電動モータを内蔵した電動工具においては、電動モータは主にカーボンブラシと整流子を用いた構造となっている。
【０００３】
したがって、カーボンブラシと整流子は摩耗し、摩耗しきってしまうとモータはストップしてしまう。
【０００４】
モータのブラシを交換する技術としては例えば、特開平９−９５８１号公報等がある。
【０００５】
この特開平９−９５８１号公報のものは図１３に示すように、ハウジング６０にモータ６１を内蔵したものにおいて、ハウジング６０内に複数のブラシホルダ６２を配設し、この複数のブラシホルダ６２をハウジング６０の外面に設けた孔７０から外部に突出させてある。ブラシホルダ６２にはホルダシャンク６３が設けてあり、ピグテール６４で支え金具６５と連結されると共にスプリングにより付勢されカーボンのブラシ６６を、ブラシホルダ６２のホルダシャンク６３に嵌め込み、この状態でブラシホルダ６２の突出部分にホルダキャップ６７を螺合して取付けてブラシ６６を整流子に押付ける構造となっている。そして、ブラシ６６が摩耗すると、ホルダキャップ６７を外して、ブラシ６６の交換を行うようにしている。
【０００６】
しかしながら、上記従来例においては、ハウジング６０の外面に２個のホルダキャップ６７が設けられるため、ホルダキャップ６７が邪魔になるだけでなく、外観が悪く、また、ハウジング６０の外面に２個のホルダキャップ６７が設けられるため、正極と負極のブラシ６６位置が１８０°離れていなければ、ハウジング６０の配置構造上難しく、したがって、従来にあっては、搭載モータが２極の小型電動機に限られる。例えば、実公昭６３−１１８９４号公報に示されるような高回転トルクを発生する４極小型直流電動機の場合、整流子に９０°の開角をもつブラシ６６を摺接させるため、ハウジング６０の４箇所に交換用のホルダキャップ６７を設ける必要があり、デザインバランスが悪くなり、また、電動工具においてはハウジング６０にグリップを設けるため、グリップの近くにホルダキャップ６７が位置することになってホルダキャップ６７が邪魔になるという問題があり、また、ブラシ６６間の距離が短いためブラシホルダ６２を大きくできず、交換のし易さが損なわれるという問題がある。
【０００７】
また、ブラシ６６交換時期にはモータ６１の回転子６８の整流子６９が摩耗やアークの影響で劣化しているため、モータ６１の出力を回復するためには回転子６８も交換する必要がある場合が生じるが、従来にあっては、回転子６８の交換の場合にはハウジング６０を開いて回転子６８を交換しなければならず、ユーザが交換することは難しいという問題がある。
【０００８】
また、衝撃工具の場合、回転子６８やブラシ６６の振動によりアークが発生してブラシ６６や整流子６９の寿命が短くなるという問題がある。
【０００９】
【発明が解決しようとする課題】
本発明は上記の点に鑑みてなされたものであり、様々なモータに対してブラシの交換ができ、また、回転子の整流子が摩耗した際に交換でき、また、絶縁板、回転子の振動を軽減して寿命を長くでき、また、ユーザがブラシ交換を容易に行うことができ、更に、ブラシ交換時期を簡単に知ることができる電動工具を提供することを課題とするものである。
【００１０】
【課題を解決するための手段】
上記課題を解決するために本発明に係る電動工具は、ハウジング１にモータ２を内蔵した電動工具であって、後端部が開口部３となったハウジング１にモータ２の固定子４を支持すると共にハウジング１に設けたハウジング側軸受け保持部５にモータ２の回転子６の前端の軸受け７ａを支持し、該回転子６をハウジング１の後端部の開口部３から取付け、取り外し自在とし、前記ハウジング１の開口部３からブラシ９とブラシホルダ１０を備えた絶縁板１１をハウジング１の開口部３に設けたハウジング側支持部８に嵌め込んで絶縁板１１の前面側及び外周を支持すると共に該絶縁板１１の中央部の孔１１ａを回転子６の後部に設けた整流子２１に遊嵌し、該絶縁板１１を前記ハウジング１の開口部３から取り出し自在とし、ハウジング１に設けた給電用のスイッチ１５と絶縁板１１に設けた端子台３８とを電気的に接続可能とし、ハウジング１の後端部の開口部３にハウジングカバー１２を着脱自在に取付けて、ハウジングカバー１２に設けたカバー側軸受け保持部１３で回転子６の後端の軸受け７ｂを保持すると共にハウジング側支持部８に着脱自在に支持した絶縁板１１の後面側をハウジングカバー１２に設けたカバー側支持部１４により支持して成ることを特徴とするものである。このような構成とすることで、ハウジングカバー１２をハウジング１から取り外して開口部３を開けることで開口部３からブラシ９とブラシホルダ１０を備えた絶縁板１１を取り外してブラシ９の交換ができるものである。また、モータ２の回転子６をハウジング１の後端部の開口部３から取付け、取り外し自在とすることで、整流子２１が摩耗したり劣化した場合はハウジング１からハウジングカバー１２を取り外して開口部３から回転子６を取り外すことで整流子２１を有する回転子６を交換することができるものである。
【００１１】
また、ハウジング側支持部８乃至カバー側支持部１４に弾性体１６を介して絶縁板１１を支持することが好ましい。このような構成とすることで、ハウジング１からの振動を絶縁板１１が直接受けることなく、弾性体１６を介して受けることになり、ハウジング１からの振動によりブラシ９と回転子６とが摩耗するのを抑制することができる。
【００１２】
また、モータ２の回転子６の後端の軸受け７ｂをハウジングカバー１２のカバー側軸受け保持部１３に弾性体１７を介して保持することが好ましい。このような構成とすることで、回転子６に設けた整流子２１部分の振動を軽減できるものである。
【００１４】
また、ハウジングカバー１２のカバー側軸受け保持部１３に軸受け７ｂを嵌め込む際の誘い込み面１８を形成することが好ましい。このような構成とすることで、ハウジングカバー１２を取付ける際に、誘い込み面１８をガイドとして容易にハウジングカバー１２のカバー側軸受け保持部１３に軸受け７ｂを嵌め込むことができるものである。
【００１５】
また、ハウジング側軸受け保持部５に軸受け７ａを嵌め込む際の誘い込み面１９を形成することが好ましい。このような構成とすることで、回転子６をハウジング１に組み込む際に、誘い込み面１９をガイドとしてハウジング側軸受け保持部５に軸受け７ａを嵌め込むことができるものである。
【００１６】
また、ハウジングカバー１２にブラシ９を覗くための窓２０を形成することが好ましい。このような構成とすることで、ユーザは窓２０から内部のブラシ９の状態を見てブラシ９の摩耗状態を確認することができ、ブラシ９の交換時期を簡単に知ることができ、また、電動工具が動かなくなった場合、ブラシ９の摩耗により動かなくなったのか、それ以外の理由で動かなくなったのかがハウジングカバー１２を取り外す前に判るのでメンテナンスがしやすい。
【００１７】
【発明の実施の形態】
以下、本発明を添付図面に示す実施形態に基づいて説明する。
【００１８】
ハウジング１にモータ２を内蔵した電動工具として添付図面においてはインパクトドライバーを例示して説明する。
【００１９】
ハウジング１は図１、図２に示すように、胴部１ａと胴部１ａの後部から下方に突出したグリップ部１ｂとを備えたもので、ハウジング１の後端部である胴部１ａの後端部が開口部３となっており、この開口部３にハウジングカバー１２がねじ２２により着脱自在に取付けてある。
【００２０】
ハウジング１の胴部１ａ内には図１に示すように、モータ２、インパクト機構部２３が組み込んで内装してある。インパクト機構部２３は、遊星歯車機構部２４と駆動軸２５と、駆動軸２５に取付けられたハンマ２７と、ハンマ２７と駆動軸２５との間に介装されてハンマ２７の軸方向の移動を一定の範囲で許容しつつ回転を伝達するための鋼球２８と、ハンマ２７を出力側に押圧する圧縮ばね２９と、ハンマ２７が回転方向に係合するアンビル３０とで構成してあり、モータ２の回転力を遊星歯車機構部２４で減速して駆動軸２５に伝え、駆動軸２５の回転をハンマ２７に伝え、ハンマ２７の回転力をアンビル３０に伝え、アンビル３０の先端部のチャックに取付けたビットを回転してねじ締めを行うようになっている。ねじ締めを行いアンビル３０に負荷が増大すると鋼球と圧縮ばね２９の作用によりハンマ２７が回転しつつアンビル３０に回転方向の打撃を与えない大きなトルクでねじ締めを行うようになっている。この場合、ハウジング１には軸方向と回転方向に振動が生じるものである。この場合に発生する振動によるモータ２のブラシ９、整流子２１の摩耗防止は後で説明する。
【００２１】
次に、モータ２につき説明する。モータ２の回転子６の両端部（つまり前端部と後端部）にはそれぞれ軸受け７ａ、７ｂが固定してある。モータ２の固定子４にはマグネット３１が固定してある。モータ２はハウジング１の胴部１ａの後部内に内装されるものであり、胴部１ａの後部内には回転子６の前端部の軸受け７ａを保持するためのハウジング側軸受け保持部５と、固定子４を保持するための固定子保持部３２とが設けてあり、ハウジング側軸受け保持部５にモータ２の回転子６の前端部の軸受け７ａを嵌め込み支持し、固定子保持部３２に固定子４を支持している。
【００２２】
ハウジング１の胴部１ａの後端部の開口部３の内周面部には開口部３の開口端よりも径が小さい段部が設けてあって、この段部がハウジング側支持部８となっており、この段部により構成したハウジング側支持部８の両側部にねじ孔３３ａを有するボス３３が設けてある。そして、このボス３３を有する段部よりなるハウジング側支持部８に開口部３から取り出し自在に絶縁板１１を嵌め込んで絶縁板１１を支持させてある。
【００２３】
すなわち、絶縁板１１には中央部に孔１１ａが設けてあり、絶縁板１１を開口部３から回転子６に孔１１ａを遊嵌するように嵌め込んで、回転子６の後部に設けた整流子２１に遊嵌すると共に上記のように絶縁板１１の前面の周端部をボス３３を有する段部よりなるハウジング側支持部８に嵌め込むことで支持させるものである。
【００２４】
絶縁板１１は図３に示すように中央部の孔１１ａを挟んだ両側に端子台３８をかしめにより取付け、この端子台３８上にブラシホルダ１０をかしめにより取付けて絶縁板１１に固定してある。ブラシホルダ１０にはブラシ９が挿入してあり、ブラシ９のピグテール９ａが端子台３８に溶着固定してある。ブラシ９はばね３４により整流子２１に押圧してある。
【００２５】
ハウジング１のグリップ部１ｂにはスイッチ１５が設けてあり、このスイッチ部から端子付きリード線３５が導出してあり、該リード線３５の先端部の端子３５ａを絶縁板１１に設けた正極、負極の各端子台３８の接続部３８ａに着脱自在に電気的に接続してある。
【００２６】
ハウジングカバー１２は前方が開口し且つ後面部が閉塞した筒状をしており、図１、図４に示すように、前面中央にモータ２の回転子６の後端の軸受け７ｂを保持するカバー側軸受け保持部１３が設けてあり、また、ハウジングカバー１２の筒部１２ａの両側の内面部にはねじ挿入孔３６ａを有するボス３６が設けてあり、このボス３６が絶縁板１１の後面をハウジングカバー１２側から支持するカバー側支持部１４を構成している。
【００２７】
すなわち、ハウジングカバー１２の筒部１２ａの前端部をハウジング１の後端部の開口部３の口縁部に嵌め込み、ねじ挿入孔３６ａからねじ２２を挿入し、該ねじ２２をハウジング１のハウジング側支持部８に設けたボス３３のねじ孔３３ａに螺合することでハウジングカバー１２をハウジング１の開口部３に着脱自在に取付けるものである。このハウジングカバー１２の取付け状態で図５に示すように、ボス３６が絶縁板１１の前面にごく僅かな小間隙を介して対向するものであり、この結果、ハウジング１側においてボス３３を有する段部よりなるハウジング側支持部８に嵌め込むことで前面側及び外周を支持された絶縁板１１が、カバー側支持部１４を構成するボス３６により後方にずれるのが防止され、絶縁板１１が後方にずれようとしてもハウジングカバー１２側に設けたカバー側支持部１４を構成するボス３６により絶縁板１１の後面側が支持され、軸方向にずれないようになっている。
【００２８】
次に、ブラシ９が摩耗して交換する場合につき説明する。ブラシ９が摩耗して交換する場合は、まず、ねじ２２を外し、ハウジングカバー１２をハウジング１から取り外してハウジング１の後端部の開口部３を開放する。次に、リード線３５の先端部の端子３５ａを絶縁板１１に設けた正極、負極の各端子台３８の接続部３８ａから外し、絶縁板１１を開口部３から取り外す。次に、新しい絶縁板１１をハウジング１の開口部３から回転子６に孔１１ａを遊嵌するように嵌め込んで、回転子６の後部に設けた整流子２１に遊嵌すると共に絶縁板１１の前面の周端部をボス３３を有する段部よりなるハウジング側支持部８に嵌め込んでセットする。この場合、上記絶縁板１１のハウジング１へのセットに当たってはあらかじめ図６に示すようにばね３４をブラシホルダ１０の仮支持部１０ａに仮支持させてブラシ９を押し付けないようにしておき、この状態で絶縁板１１の孔１１ａを整流子２１に遊嵌するように嵌め込むことでばね３４で整流子２１を押し付けながらセット作業を行う必要がなくてセット作業が容易に行えるものである。
【００２９】
上記のようにして絶縁板１１のハウジング１へのセットが終わると、ブラシホルダ１０の仮支持部１０ａに仮保持しているばね３４をブラシ９にセットしてブラシ９を整流子２１に押圧させる。
【００３０】
次に、リード線３５の先端部の端子３５ａを絶縁板１１に設けた正極、負極の各端子台３８の接続部３８ａに接続し、ハウジングカバー１２の筒部１２ａの前端部をハウジング１の後端部の開口部３の口縁部に嵌め込み、ねじ挿入孔３６ａからねじ２２を挿入してねじ孔３３ａに螺合することでハウジングカバー１２をハウジング１の開口部３に着脱自在に取付けるものである。この場合、前述のように、ハウジング１側においてボス３３を有する段部よりなるハウジング側支持部８に嵌め込むことで絶縁板１１の前面側及び外周を支持し、ハウジングカバー１２側においてはカバー側支持部１４を構成するボス３６により絶縁板１１の後面側を支持することになるので、絶縁板１１は軸方向にずれないものである。
【００３１】
ところで、ブラシ９交換時に回転子６も交換する場合があるが、このような場合には上記のようにハウジング１からハウジングカバー１２を取り外し、開口部３から絶縁板１１を後方に取り外した後、回転子６を開口部３から後方に取り外すものである。
【００３２】
新品の回転子６をハウジング１から開口部３に後方より差し込んで、回転子６の前端部の軸受け７ａをハウジング１に設けたハウジング側軸受け保持部５にモータ２の回転子６の前端の軸受け７ａを嵌め込み支持する。その後は前述と同様に絶縁板１１をセットし、ハウジングカバー１２を取付けることで交換が完了するものである。
【００３３】
この回転子６の交換時、回転子６と固定子４のマグネット３１との間に隙間ｓがあるため、回転子６がマグネット３１の磁力により回転方向に引っ張られて芯ずれをおこす。この芯ずれ量は回転子６とマグネット３１との隙間量になるが、この隙間量よりも大きい誘い込み面１８、１９がハウジングカバー１２のカバー側軸受け保持部１３を構成する孔部の入口と、ハウジング側軸受け保持部５を構成する孔部の入口に形成してある。すなわち、孔部の入口を入口側端程大径となるようになったラッパ状とすることでラッパ状の内面を誘い込み面とするものである。したがって、マグネット３１により回転子６が引っ張られても、誘い込み面１９にガイドされて回転子６の前端部の軸受け７ａをハウジング側軸受け保持部５を構成する孔部に嵌め込むことができ、また、誘い込み面１８にガイドされてハウジングカバー１２のカバー側軸受け保持部１３を構成する孔部に回転子６の後端部を嵌め込むことができるものであって、回転子６の組み込み、ハウジングカバー１２の取付けがやりやすくなってだれでも簡単に交換できるものである。
【００３４】
ところで、インパクトドライバーのような衝撃工具の場合、振動によって回転子６とブラシ９とが振動して摩耗が促進される場合がある。
【００３５】
そこで、図３に示すように、本発明においてはハウジング側支持部８乃至カバー側支持部１４に弾性体１６を介して絶縁板１１を支持して、ハウジング１からの振動を絶縁板１１が直接受けることなく、弾性体１６を介して受け、ハウジング１からの振動によりブラシ９と回転子６とが摩耗するのを抑制するようにしている。添付図面に示す実施形態においては、絶縁板１１の外周の複数箇所（実施形態では３箇所）に切り欠き部３７を設け、切り欠き部３７に弾性体１６を嵌め込み、該弾性体１６を介してハウジング側支持部８を構成する段部に絶縁板１１を嵌め込み支持している。なお、カバー側支持部１４であるボス３６の前端面に弾性体１６を設けて、絶縁板１１が弾性体１６を介してボス３６により軸方向に移動しないように支持するようにしてもよい。
【００３６】
また、図６、図７に示すようにハウジングカバー１２のカバー側軸受け保持部１３を構成する孔内面と回転子６の後端部の軸受け７ｂとの間に弾性体１７を介在してあり、このようにして回転子６の後端の軸受け７ｂをハウジングカバー１２のカバー側軸受け保持部１３に弾性体１７を介して保持することで、回転子６に設けた整流子２１部分の振動を軽減できるものである。
【００３７】
上記のようにしてブラシ９、回転子６に設けた整流子２１の振動を軽減することで、ブラシ９と整流子２１との間の振動が減ってブラシ９、整流子２１の寿命を長くすることができるものである。
【００３８】
ハウジングカバー１２には内部に位置するブラシ９を覗くための窓２０が形成してある。この窓２０の位置はブラシホルダ１０の位置に当たり、ブラシ９が摩耗してきた場合、ピグテール９ａがブラシホルダ１０の最下点まできたかどうかを確認することができるようになっている。このように窓２０から確認できるので、電動工具が動かなくなった場合、ブラシ９の摩耗により動かなくなったのか、それ以外の理由で動かなくなったのかがハウジングカバー１２を取り外す前に判り、メンテナンスがしやすいものである。ここで、図８に示すように、ハウジングカバー１２に大きめの段付きの孔４０を設け、ここに透明カバー４１を接着することで、ブラシ９を覗く窓２０を形成するようにしてもよいものであり、この場合には大きな窓２０から内部のブラシ９を確認できるので、視認性が良くなるものである。
【００３９】
ところで、ハウジング１のグリップ部１ｂには電動工具の作業時の滑りを防止するためのゴムや弾性を有する合成樹脂等よりなる滑り止め部材４２が固着してあって、電動工具の作業の使い勝手を向上させている。滑り止め部材４２の固着方法としては従来においてはハウジング１成形時に同時成形により形成したり、２つ割りのハウジングを合わせる時に挟み込む手段がとられていた。ところが、上記のように上記のようにしてブラシ９の交換や回転子６の交換が容易にできてモータ２の寿命が長くなると、ハウジング１も交換せずに長く使えるので、滑り止めの滑り止め部材４２を固着したハウジング１においては滑り止めとなる滑り止め部材４２の劣化が問題となる。
【００４０】
そこで、滑り止めとなる滑り止め部材４２が劣化した際に交換できるようにする必要がある。図９，図１０には滑り止め部材４２を交換できるように着脱自在にハウジング１に取付ける一実施形態が示してある。
【００４１】
図９、図１０において、ハウジング１に凹所４３を設け、凹所４３の底面部に嵌め込み突部４４と係合孔４５とを設けてある。滑り止め部材４２はゴムや弾性を有する合成樹脂により形成してあり、手に対してのグリップ力を高めた材料、硬さ、摩擦係数で形成してあり、滑り止め部材４２の裏面に嵌め込み凹部４６と係合突部４７とを設けてある。そして、図１０に示すように、滑り止め部材４２を凹所４３に嵌め込み、嵌め込み凹部４６に嵌め込み突部４４を嵌め込むと共に係合突部４７を係合孔４５に弾性的に係合することで、滑り止め部材４２をハウジング１の外面部の一部に取付けるものである。ここで、滑り止め部材４２は弾性を有しているので、係合突部４７の先端部の膨大部を係合孔４５に圧縮しながら嵌め込み、膨大部が係合孔４５を通過すると元の状態に復帰して滑り止め部材４２がハウジング１から外れないようになっている。また、嵌め込み凹部４６に嵌め込み突部４４が嵌合していることで、滑り止め部材４２がハウジング１に対して上下左右方向にずれないようになっている。
【００４２】
一方、滑り止め部材４２が経年変化により劣化した場合には滑り止め部材４２の端部を掴んで剥がすように引っ張ることで係合突部４７の先端部の膨大部が圧縮されながら係合孔４５を通って、滑り止め部材４２を取り外すことができるものである。
【００４３】
このようにして滑り止め部材４２を取り外した後、新しい滑り止め部材４２を前述のようにして取付けるものである。
【００４４】
図１１、図１２にはハウジング１に滑り止め部材４２を交換できるように着脱自在に取付ける他の実施形態が示してある。
【００４５】
ハウジング１のグリップ部１ｂには周方向にわたって凹んだ凹溝部４８を設け、凹溝部４８の周方向の前部に係止部４９が設けてあり、また、凹溝部４８に嵌め込み突部５０が設けてある。断面略Ｃ字状をした合成樹脂成形品よりなるグリップシート５１の外面部に滑り止め部材４２が接着固定してある。グリップシート５１の両前端部には爪部５２が設けてあり、グリップシート５１の内面部には嵌め込み凹部５３が設けてある。そして、滑り止め部材４２を外面に固着したグリップシート５１をグリップ部１ｂの凹溝部４８に被嵌し、嵌め込み突部５０と嵌め込み凹部５３とを嵌合すると共に爪部５２を係止部４９に係止することで、滑り止め部材４２を外面に固着したグリップシート５１をグリップ部１ｂに着脱自在に装着する。これにより容易に滑り止め部材４２を外面に固着したグリップシート５１を取り外して交換できるものである。そして、滑り止め部材４２の材質、色、凹凸感、形状等を多種類用意すれば、ユーザは好みのものを選択することが可能となる。また、滑り止め部材４２を布製とするとグリップ効果と汗を吸水する効果とが加わり、更に滑り止め効果を発揮することができるものである。
【００４６】
【発明の効果】
上記のように本発明の請求項１記載の発明にあっては、後端部が開口部となったハウジングにモータの固定子を支持すると共にハウジングに設けたハウジング側軸受け保持部にモータの回転子の前端の軸受けを支持し、該回転子をハウジングの後端部の開口部から取付け、取り外し自在とし、前記ハウジングの開口部からブラシとブラシホルダを備えた絶縁板をハウジングの開口部に設けたハウジング側支持部に嵌め込んで絶縁板の前面側及び外周を支持すると共に該絶縁板の中央部の孔を回転子の後部に設けた整流子に遊嵌し、該絶縁板を前記ハウジングの開口部から取り出し自在とし、ハウジングに設けた給電用のスイッチと絶縁板に設けた端子台とを電気的に接続可能とし、ハウジングの後端部の開口部にハウジングカバーを着脱自在に取付けて、ハウジングカバーに設けたカバー側軸受け保持部で回転子の後端の軸受けを保持すると共にハウジング側支持部に着脱自在に支持した絶縁板の後面側をハウジングカバーに設けたカバー側支持部により支持してあるので、ハウジングカバーをハウジングから取り外して開口部を開けることで開口部からブラシとブラシホルダを備えた絶縁板を取り外してブラシの交換ができ、この結果、ハウジングカバーを外して絶縁板を取り外すという簡単な操作で様々なモータに対してブラシの交換が簡単にできるものである。また、モータの回転子をハウジングの後端部の開口部から取付け、取り外し自在としてあるので、整流子が摩耗したり劣化した場合はハウジングからハウジングカバーを取り外して開口部から回転子を取り外すことで整流子を有する回転子を交換することができ、ブラシの交換だけでなく、必要に応じて回転子の交換もハウジングカバーを取り外すのみで簡単に行えるものである。
【００４７】
また、請求項２記載の発明にあっては、上記請求項１記載の発明の効果に加えて、ハウジング側支持部乃至カバー側支持部に弾性体を介して絶縁板を支持してあるので、ハウジングからの振動を絶縁板が直接受けることなく、弾性体を介して受けることになり、ハウジングからの振動によりブラシと回転子とが摩耗するのを抑制することができて、長寿命化が図れるものである。
【００４８】
また、請求項３記載の発明にあっては、上記請求項１又は請求項２記載の発明の効果に加えて、モータの回転子の後端の軸受けをハウジングカバーのカバー側軸受け保持部に弾性体を介して保持してあるので、回転子に設けた整流子部分の振動を軽減でき、長寿命化が図れるものである。
【００５０】
また、請求項４記載の発明にあっては、上記請求項１乃至請求項３のいずれかに記載の発明の効果に加えて、ハウジングカバーのカバー側軸受け保持部に軸受けを嵌め込む際の誘い込み面を形成してあるので、ハウジングカバーを取付ける際に、誘い込み面をガイドとして容易にハウジングカバーのカバー側軸受け保持部に軸受けを嵌め込むことができ、ハウジングカバーの取付けて軸受けを保持することが容易に行えるものである。
【００５１】
また、請求項５記載の発明にあっては、上記請求項１乃至請求項４のいずれかに記載の発明の効果に加えて、ハウジング側軸受け保持部に軸受けを嵌め込む際の誘い込み面を形成してあるので、回転子をハウジングに組み込む際に、誘い込み面をガイドとしてハウジング側軸受け保持部に軸受けを容易に嵌め込むことができるものである。
【００５２】
また、請求項６記載の発明にあっては、上記請求項１乃至請求項５のいずれかに記載の発明の効果に加えて、ハウジングカバーにブラシを覗くための窓を形成してあるので、ユーザは窓から内部のブラシの状態を見てブラシの摩耗状態を確認することができ、ブラシの交換時期を簡単に知ることができ、また、電動工具が動かなくなった場合、ブラシの摩耗により動かなくなったのか、それ以外の理由で動かなくなったのかがハウジングカバーを取り外す前に判るのでメンテナンスがしやすいものである。
【図面の簡単な説明】
【図１】本発明の側面断面図である。
【図２】（ａ）は同上の側面図であり、（ｂ）は同上の後面図である。
【図３】同上のハウジングカバーを取り外した状態のハウジングの開口部を示す後面図である。
【図４】同上のハウジングカバーの前面図である。
【図５】（ａ）は同上の後面図であり、（ｂ）は（ａ）のＸ−Ｘ線の断面図である。
【図６】同上の絶縁板をハウジングにセットする際にばねをブラシホルダの仮支持部に仮支持させている状態を示す断面図である。
【図７】同上のブラシが摩耗した状態を示す断面図である。
【図８】同上のハウジングカバーに設ける窓部の他例を示し、（ａ）は側面図であり、（ｂ）は分解断面図である。
【図９】同上の滑り止め部材をハウジングから取り外した状態の説明図である。
【図１０】同上の滑り止め部材をハウジングから取付けた状態の断面図である。
【図１１】同上の滑り止め部材をハウジングから取り外した状態の他の実施形態の説明図である。
【図１２】同上の滑り止め部材をハウジングから取付けた状態の断面図である。
【図１３】従来例の半断面図である。
【符号の説明】
１  ハウジング
２  モータ
３  開口部
４  固定子
５  ハウジング側軸受け保持部
６  回転子
７ａ  軸受け
７ｂ  軸受け
８  ハウジング側支持部
９  ブラシ
１０  ブラシホルダ
１１  絶縁板
１２  ハウジングカバー
１３  カバー側軸受け保持部
１４  カバー側支持部
１５  スイッチ
１６  弾性体
１７  弾性体
１８  誘い込み面
１９  誘い込み面
２０  窓
３８  端子台
【図１】
0004013043.tif 000002
【図２】
0004013043.tif 000003
【図３】
0004013043.tif 000004
【図４】
0004013043.tif 000005
【図５】
0004013043.tif 000006
【図６】
0004013043.tif 000007
【図７】
0004013043.tif 000008
【図８】
0004013043.tif 000009
【図９】
0004013043.tif 000010
【図１０】
0004013043.tif 000011
【図１１】
0004013043.tif 000012
【図１２】
0004013043.tif 000013
【図１３】
0004013043.tif 000014